(57)【要約】【課題】排ガス中の２価水銀を除去すると同時に、脱硫装置が設置されているプロセスにおいては性能低下の原因となる排ガス中のＨＣｌ、ダストを除去することができる排ガス中の水銀処理システムを提供する。【解決手段】ボイラ１１からの排ガス１２中に含まれる水銀を除去する排ガス中の水銀処理システムであって、燃料Ｆが供給されてボイラ燃焼されるボイラ１１からの排ガス１２中の窒素酸化物（ＮＯｘ）を脱硝する脱硝装置１７と、前記脱硝装置１７の後流側に設けられ、排ガス温度を調整するエアヒータ（ＡＨ）１８と、前記エアヒータ１８の後流側に設けられ、排ガス中の煤塵を除去する集塵機１９と、前記集塵機１９の後流側に設けられ、排ガス１２中の酸化水銀Ｈｇ2+を水銀吸収液５１により除去する水銀吸収塔５０と具備する。【選択図】図１
2014057912.tif 000002
【特許請求の範囲】
【請求項１】
ボイラからの排ガス中に含まれる水銀を除去する排ガス中の水銀除去システムであって、
ボイラのからの排ガスを熱交換する熱交換器と、
排ガス中の煤塵を除去する集塵機と、
前記集塵機の後流側に設けられ、排ガス中の酸化水銀を水銀吸収液により除去する水銀吸収塔と、
前記水銀吸収塔で水銀除去後の排ガス中の硫黄酸化物を脱硫する湿式脱硫装置と、を具備することを特徴とする排ガス中の水銀処理システム。
【請求項２】
請求項１において、
前記水銀吸収塔の後段側に設けられ、水銀除去後の排ガス中の硫黄酸化物を脱硫する湿式脱硫装置を具備することを特徴とする排ガス中の水銀処理システム。
【請求項３】
請求項１又は２において、
前記熱交換器の前流側に設けられ、排ガス中のＮＯｘを脱硝すると共に、金属水銀（Ｈｇ0）を酸化する脱硝触媒を有する脱硝手段を具備することを特徴とする排ガス中の水銀処理システム。
【請求項４】
請求項１乃至３のいずれか一つにおいて、
前記水銀吸収塔内の酸化還元状態を酸化還元電位測定制御手段で判断することを特徴とする排ガス中の水銀処理システム。
【請求項５】
請求項１乃至４のいずれか一つにおいて、
前記水銀吸収塔から水銀吸収液を抜出し、該抜出した水銀吸収液を排水処理することを特徴とする排ガス中の水銀処理システム。
【請求項６】
請求項１乃至４のいずれか一つにおいて、
前記水銀吸収塔から水銀吸収液を抜出し、該抜出した水銀吸収液中の固形分を分離し、固形分分離後の水銀吸収液を前記水銀吸収塔で再利用することを特徴とする排ガス中の水銀処理システム。
【請求項７】
請求項１乃至４のいずれか一つにおいて、
前記水銀吸収塔から水銀吸収液を抜出し、該抜出した水銀吸収液中の固形分を分離し、固形分分離後の処理水を蒸発処理することを特徴とする排ガス中の水銀処理システム。
【請求項８】
請求項１乃至４のいずれか一つにおいて、
前記水銀吸収塔から水銀吸収液を抜出し、該抜出した水銀吸収液中の固形分を分離し、固形分分離後の処理水を排水処理することを特徴とする排ガス中の水銀処理システム。
【請求項９】
請求項１乃至４のいずれか一つにおいて、
前記水銀吸収塔から水銀吸収液を抜出し、該抜出した水銀吸収液中の固形分を凝集し、凝集物を含む処理水を蒸発処理することを特徴とする排ガス中の水銀処理システム。
【発明の詳細な説明】
【技術分野】
【０００１】
本発明は、排ガス中の水銀を極低濃度まで除去することができる排ガス中の水銀処理システムに関する。
【背景技術】
【０００２】
石炭焚き排ガスや重質油を燃焼した際に生じる排ガス中には、煤塵、硫黄酸化物（ＳＯｘ）、窒素酸化物（ＮＯｘ）のほか、金属水銀（Ｈｇ0）が含まれることがある。近年、ＮＯｘを還元する脱硝装置、およびアルカリ吸収液をＳＯｘ吸収剤とする湿式脱硫装置と組み合わせて、金属水銀（Ｈｇ0）を処理する方法や装置について様々な考案がなされてきた。
【０００３】
排ガス中の金属水銀（Ｈｇ0）を処理する方法として、煙道中、脱硝装置の前流工程でＮＨ4Ｃｌ溶液を液状で噴霧して煙道内に供給する方法が提案されている（例えば、特許文献１、２参照。）。煙道内にＮＨ4Ｃｌ溶液を液状で噴霧すると、ＮＨ4Ｃｌは解離して、アンモニウム（ＮＨ3）ガス、塩化水素（ＨＣｌ）ガスを生成する。ＮＨ3ガスは還元剤として作用し、ＨＣｌガスは水銀塩素化剤として作用する。即ち、脱硝装置に充填されている脱硝触媒上で、ＮＨ3は下記式（１）のように排ガス中のＮＯｘと還元反応が進行し、ＨＣｌは下記式（２）のように排ガス中のＨｇ0と酸化反応が進行する。脱硝触媒上でＮＨ3を還元脱硝すると共に、金属水銀（Ｈｇ0）を酸化し、水溶性の塩化水銀（ＨｇＣｌ2）とした後、後流側に設置した湿式石灰石膏法による脱硫装置でＨｇＣｌ2を石膏スラリー溶液に溶解させて排ガス中に含まれる水銀を除去する。
４ＮＯ＋４ＮＨ3＋Ｏ2  →  ４Ｎ2＋６Ｈ2Ｏ・・・（１）
Ｈｇ0＋１／２Ｏ2＋２ＨＣｌ  →  ＨｇＣｌ2＋Ｈ2Ｏ・・・（２）
【先行技術文献】
【特許文献】
【０００４】
【特許文献１】特開２００８−１４２６０２号公報
【特許文献２】特開２００９−２０２１０７号公報
【発明の概要】
【発明が解決しようとする課題】
【０００５】
ところで、従来の排ガス中の水銀を除去する提案では、吸収除去された酸化水銀（Ｈｇ2+）の一部は再度、湿式脱硫装置の吸収液が還元雰囲気となると、金属水銀（Ｈｇ0）に還元され、同様に煙突から放出される場合がある。
【０００６】
また、排ガス中のＨＣｌ濃度、ダスト濃度が高い条件では脱硫装置の性能が低下するという問題がある。水銀酸化のためにNH4Cl噴霧を行う場合には、ＮＨ4Ｃｌ噴霧を行わない場合に比べガス中のＨＣｌ濃度が従来よりも高くなるため、脱硫性能低下につながる可能性がある。
【０００７】
本発明は、上記に鑑みてなされたものであって、排ガス中の２価水銀を除去すると同時に、脱硫装置が設置されているプロセスにおいては性能低下の原因となる排ガス中のＨＣｌ、ダストを除去することができる排ガス中の水銀処理システムを提供することを目的とする。
【課題を解決するための手段】
【０００８】
上述した課題を解決するための本発明の第１の発明は、ボイラからの排ガス中に含まれる水銀を除去する排ガス中の水銀除去システムであって、ボイラのからの排ガスを熱交換する熱交換器と、排ガス中の煤塵を除去する集塵機と、前記集塵機の後流側に設けられ、排ガス中の酸化水銀を水銀吸収液により除去する水銀吸収塔とを具備することを特徴とする排ガス中の水銀処理システムにある。
【０００９】
第２の発明は、第１の発明において、前記水銀吸収塔の後段側に設けられ、水銀除去後の排ガス中の硫黄酸化物を脱硫する湿式脱硫装置を具備することを特徴とする排ガス中の水銀処理システムにある。
【００１０】
第３の発明は、第１又は２の発明において、前記熱交換器の前流側に設けられ、排ガス中のＮＯｘを脱硝すると共に、金属水銀（Ｈｇ0）を酸化する脱硝触媒を有する脱硝手段を具備することを特徴とする排ガス中の水銀処理システムにある。
【００１１】
第４の発明は、第１乃至３のいずれか一つの発明において、前記水銀吸収塔内の酸化還元状態を酸化還元電位測定制御手段で判断することを特徴とする排ガス中の水銀処理システムにある。
【００１２】
第５の発明は、第１乃至４のいずれか一つの発明において、前記水銀吸収塔から水銀吸収液を抜出し、該抜出した水銀吸収液を排水処理することを特徴とする排ガス中の水銀処理システムにある。
【００１３】
第６の発明は、第１乃至４のいずれか一つの発明において、前記水銀吸収塔から水銀吸収液を抜出し、該抜出した水銀吸収液中の固形分を分離し、固形分分離後の水銀吸収液を前記水銀吸収塔で再利用することを特徴とする排ガス中の水銀処理システムにある。
【００１４】
第７の発明は、第１乃至４のいずれか一つの発明において、前記水銀吸収塔から水銀吸収液を抜出し、該抜出した水銀吸収液中の固形分を分離し、固形分分離後の処理水を蒸発処理することを特徴とする排ガス中の水銀処理システムにある。
【００１５】
第８の発明は、第１乃至４のいずれか一つの発明において、前記水銀吸収塔から水銀吸収液を抜出し、該抜出した水銀吸収液中の固形分を分離し、固形分分離後の処理水を排水処理することを特徴とする排ガス中の水銀処理システムにある。
【００１６】
第９の発明は、第１乃至４のいずれか一つの発明において、前記水銀吸収塔から水銀吸収液を抜出し、該抜出した水銀吸収液中の固形分を凝集し、凝集物を含む処理水を蒸発処理することを特徴とする排ガス中の水銀処理システムにある。
【発明の効果】
【００１７】
本発明によれば、脱硫装置に導入する前において、ボイラ排ガス中の酸化水銀を効率的に除去するので、排ガス中の２価水銀を除去することができる。また、脱硫装置が設置されているプロセスにおいては、性能低下の原因となる排ガス中のＨＣｌ、ダストを除去することができる。
【図面の簡単な説明】
【００１８】
【図１】図１は、本発明の実施例１に係る排ガス中の水銀処理システムを示す概略図である。
【図２】図２は、本発明の実施例２に係る排ガス中の水銀処理システムを示す概略図である。
【図３】図３は、本発明の実施例３に係る排ガス中の水銀処理システムを示す概略図である。
【図４】図４は、本発明の実施例４に係る排ガス中の水銀処理システムを示す概略図である。
【図５】図５は、本発明の実施例５に係る排ガス中の水銀処理システムを示す概略図である。
【図６】図６は、水銀吸収液中のＯＲＰ値と水銀再飛散率との関係図である。
【図７】図７は、水銀の電位−ｐＨ値（プールベ図）である。
【発明を実施するための形態】
【００１９】
以下に添付図面を参照して、本発明の好適な実施例を詳細に説明する。なお、この実施例により本発明が限定されるものではなく、また、実施例が複数ある場合には、各実施例を組み合わせて構成するものも含むものである。
【実施例１】
【００２０】
図１は、本発明の実施例１に係る排ガス中の水銀処理システムの概略図である。
図１に示すように、本実施例に係る排ガス中の水銀処理システム１０Ａは、ボイラ１１からの排ガス１２中に含まれる水銀を除去する排ガス中の水銀処理システムであって、燃料Ｆが供給されてボイラ燃焼されるボイラ１１からの排ガス１２中の窒素酸化物（ＮＯｘ）を脱硝する脱硝装置１７と、前記脱硝装置１７の後流側に設けられ、排ガス温度を調整するエアヒータ（ＡＨ）１８と、前記エアヒータ１８の後流側に設けられ、排ガス中の煤塵を除去する集塵機１９と、前記集塵機１９の後流側に設けられ、排ガス１２中の酸化水銀Ｈｇ2+を水銀吸収液５１により除去する水銀吸収塔５０とを具備するものである。
ここで、図１中、符号１３は排ガスが排出される煙道、２５は浄化された排ガスを外部に排出する煙突、Ｖ0、Ｖ1、Ｖ2はバルブを図示する。
【００２１】
本実施例では、脱硝装置１７の前段側で、煙道１３を流れる排ガス中に、脱硝助剤としてアンモニア（ＮＨ3）１４Ａを、アンモニア（ＮＨ3）供給ライン１５Ａを介してアンモニア（ＮＨ3）供給手段１６Ａから供給しており、アンモニア１４Ａによる還元脱硝を行っている。
脱硝装置１７としては、還元脱硝触媒を備える一般的なものを使用することができる。この還元脱硝触媒としては、特に限定されないが、例えば、Ｗ、Ｓｎ、Ｉｎ、Ｃｏ、Ｎｉ、Ｆｅ、Ｎｉ、Ａｇ、Ｃｕ等の金属酸化物をゼオライト等の担体に担持させたものを用いることができる。脱硝装置１７が備える還元脱硝触媒の量は、水銀酸化効率を高めるために通常の量より増加させるようにしてもよい。
【００２２】
このアンモニア脱硝された排ガス１２Ｂのガス温度は例えば３３０℃程度であり、この排ガス１２の熱を利用して別途外部からボイラ１１に供給される空気(図示せず)をエアヒータ（ＡＨ）１８を用いて予熱している。
【００２３】
本実施例では、集塵機１９で排ガス中の煤塵を除去した後に、水銀吸着塔５０に排ガス１２を導入し、ここで排ガス１２中の水銀を水銀吸収液５１で除去するようにしている。
水銀吸着塔５０の頂部側にはノズル５３が設けられており、循環ラインＬ11を図示しないポンプにより循環される水銀吸収液５１を噴霧するようにしている。噴霧された水銀吸収液５１は、排ガスと対向接触させることで、溶解性の酸化水銀（Ｈｇ2+）を水銀吸収液５１側に移行して溶解除去している。
【００２４】
ここで水銀吸収液５１としては、水もしくはキレート溶液を用いており、必要に応じて、導入ラインＬ12に介装されたバルブＶ1を開放して、酸化剤５５を添加するようにしてもよい。酸化剤として空気を導入するようにしてもよい。
ここで、酸化剤としては、本実施例では、空気を用いているが、本発明はこれに限定されずものではなく、例えばＯ2、Ｏ3、Ｈ2Ｏ2等の酸素系酸化剤、例えば過マンガン酸、クロム酸、塩素酸、次亜塩素酸、過塩素酸、硝酸、亜硝酸及びその塩等の酸素酸及び酸素酸塩系酸化剤、塩素（Ｃｌ2）、ＨＣｌＯ、ＮａＣｌＯ、ＣｌＯ-の塩素系酸化剤、Ｆｅ3+、Ｃｕ2+、Ｓｎ4+等の多価金属塩等を例示することができる。
【００２５】
これは、水銀吸収液５１の酸化還元電位を一定の範囲に保つことにより、下記式（３）のように、水銀吸収液５１中の酸化水銀（Ｈｇ2+）がＳＯ2等により金属水銀（Ｈｇ0）に還元されるのを阻止し、水銀が再飛散するのを防止するためである。
Ｈｇ2+＋２ｅ-  ⇔  Ｈｇ0  ・・・（３）
この水銀吸収液５１の酸化還元電位を一定に保持する手段として、水銀吸収液５１の酸化還元電位（ＯＲＰ）を制御するＯＲＰコントローラ５６を用い、例えばＯＲＰの値を＋５０ｍＶ以上、望ましくはＯＲＰの値を＋８０ｍＶ以上、さらに望ましくはＯＲＰの値を＋１００ｍＶとするように、酸化剤５５の供給量を調製するようにしている。
【００２６】
図６は、水銀吸収液中のＯＲＰ値と水銀再飛散率との関係図である。
図６では、４８℃の水銀吸収液中における全水銀中の金属水銀の割合と、ＯＲＰ値との関係を示している。ここで、縦軸は「金属水銀（Ｈｇ0）量／全水銀（Ｈｇtotal）量」の水銀再飛散率を示し、横軸はＯＲＰ値である。縦軸の値「１」において、金属水銀が１００％であり、縦軸の値「０」において、金属水銀量が０％である。
ここで、電極は銀／塩化銀を用いて、温度４８℃で計測している。また、Ｃｌ-濃度：Ｈｇ濃度＝１３，０００：１としている。
図６に示すように、ＯＲＰ値が８０ｍＶでは、ほぼゼロとなっている。なお、温度が高い場合にはより値が低くなる傾向になる。
【００２７】
図７は、水銀の電位−ｐＨ値（プールベ図）である。
図７に示すように、水銀の電位−ｐＨ値（プールベ図）では、ＯＲＰ値が９０ｍＶ前後において、酸化環境と還元環境との境があるので、好ましくは９０ｍＶ以上、より好ましくは１００ｍＶ以上において、ＯＲＰ値を制御するのが好ましいものとなる。
【００２８】
この結果、ＯＲＰを適正に制御することにより、水銀吸収液５１中に溶解された酸化水銀が金属水銀となって再飛散されることが防止され、脱硫装置２１側へ導入される排ガス１２中に水銀が同伴することが防止される。
【００２９】
水銀吸着塔５０で酸化水銀を溶解させた水銀吸収液５１は、所定量ごと、排出ラインＬ13に介装されたバルブＶ2を開放して捕集タンク５２側へ排出している。なお、補給する水銀吸収液５１は、別途導入ラインＬ14より、水銀吸収塔５０内に必要量導入している。
【００３０】
このように、水銀吸収塔５０で排ガス１２中の水銀が除去された排ガス１２は、その後浄化ガス２４として煙突２５から系外に排出される。
【００３１】
また、捕集タンク５２側に排出された酸化水銀を溶解した水銀吸収液５１は、公知の排水処理手段に送られ、排水処理される。
【実施例２】
【００３２】
次に、本発明の実施例２に係る排ガス中の水銀処理システムについて説明する。なお、実施例１と同一構成部材には同一符号を付して重複した説明は省略する。
図２は、本発明の実施例２に係る排ガス中の水銀処理システムの概略図である。
図２に示すように、本実施例に係る排ガス中の水銀処理システム１０Ｂは、実施例１に係る排ガス中の水銀処理システム１０Ａにおいて、
水銀吸収塔５０の後段側に、水銀吸収塔５０で水銀除去後の排ガス１２中に含まれる硫黄酸化物を脱硫する湿式脱硫装置２１を設けている。
【００３３】
水銀吸着塔５０で水銀が除去された排ガス１２は、湿式脱硫装置２１を通過することにより、ガス中に存在する硫黄酸化物が吸収・除去される。
硫黄酸化物が所定濃度以下である場合には、実施例１のように、そのまま煙突から浄化ガス２４として排出してもよいが、プラントの設置場所における環境基準を超える硫黄酸化物を排出するような場合には、例えば湿式又は乾式の脱硫装置等の脱硫手段を設けるようにしている。
【００３４】
ここで、湿式脱硫装置２１としては、アルカリ吸収液を備える従来のものを使用することができる。アルカリ吸収液としては、例えば、炭酸カルシウム、水酸化カルシウム、水酸化ナトリウム、亜硫酸ナトリウム、アンモニア、水酸化マグネシウム等の水溶液を用いることができるが、これらに限定されるものではない。
【００３５】
この湿式脱硫装置２１では、排ガス１２を装置本体２１ａ内の塔底部２１ｂの壁面側から送給し、アルカリ吸収液として用いられる石灰石膏スラリー２０を吸収液送給ラインＬ1により装置本体２１ａ内に供給し、ノズル２１ｃより塔頂部側に向かって噴流させる。装置本体２１ａ内の底部側から上昇してくる排ガス１２と、ノズル２１ｃから噴流して流下する石灰石膏スラリー２０とを対向して気液接触させ、排ガス１２中の硫黄酸化物（ＳＯｘ）は石灰石膏スラリー２０中に吸収され、排ガス１２から分離、除去され、排ガス１２は浄化される。
【００３６】
石灰石膏スラリー２０により浄化された排ガス１２は、塔頂部側より排出され、その後浄化ガス２４として煙突２５から系外に排出される。
なお、装置本体２１ａ内部に補充される石灰２６は石灰供装置２７から供給されている。
【００３７】
排ガス１２の脱硫に用いられる石灰石膏スラリー２０は、水に石灰石粉末を溶解させた石灰スラリー（ＣａＣＯ3）と、石灰と排ガス１２中のＳＯｘが反応し更に酸化させた石膏スラリー（ＣａＳＯ4）と、水とを混合させて生成される。石灰石膏スラリー２０は、例えば湿式脱硫装置２１の装置本体２１ａの塔底部２１ｂに貯留した液を図示しないポンプにより揚水したものが用いられる。装置本体２１ａ内で排ガス１２中のＳＯｘは石灰石膏スラリー２０中の石灰（ＣａＣＯ3）と下記式（４）のような反応を生じる。
ＣａＣＯ3＋ＳＯ2＋０．５Ｈ2Ｏ  →  ＣａＳＯ3・０．５Ｈ2Ｏ＋ＣＯ2  ・・・（４）
【００３８】
一方、排ガス１２中のＳＯｘを吸収した石灰石膏スラリー２０は、装置本体２１ａ内に供給される水３０と混合され、装置本体２１ａの塔底部２１ｂに供給される空気により酸化処理される。このとき、装置本体２１ａ内を流下した石灰石膏スラリー２０は、水３０、空気と下記式（５）のような反応を生じる。
ＣａＳＯ3・０．５Ｈ2Ｏ＋０．５Ｏ2＋１．５Ｈ2Ｏ  →  ＣａＳＯ4・２Ｈ2Ｏ  ・・・（５）
このようにして、排ガス１２中のＳＯｘは、湿式脱硫装置２１において石膏（ＣａＳＯ４・２Ｈ２Ｏ）の形で捕獲される。
この際、排ガス１２中の塩化水銀（ＨｇＣｌ2）は、前段側に設けた水銀吸着塔５０で除去されているので、石灰石膏スラリー２０側に移行されることが防止される。
【００３９】
湿式脱硫装置２１の塔底部２１ｂに貯留される脱硫に用いた石灰石膏スラリー２０は酸化処理された後、塔底部２１ｂより抜き出される。抜き出された石灰石膏スラリー２０は、水分分離器３３にラインＬ2を介して送給された後、塩化水銀（ＨｇＣｌ２）を含んだ脱水ケーキ（石膏）２８として系外に排出される。
【００４０】
水分分離器３３として、例えばベルトフィルターなどが用いられる。また、脱水したろ液（脱水ろ液）３４は、ラインＬ3を介して排水処理装置３５に送給される。そして、例えば脱水ろ液中の懸濁物、重金属３６などの除去、脱水ろ液のｐＨ調整などの操作を排水処理装置３５により行われる。この排水処理された処理排水３７の一部は湿式脱硫装置２１に返送され、他の一部は排水３７として処理される。
【００４１】
石灰石膏スラリー２０の供給方法は、ノズル２１ｃより塔頂部側に向かって噴流させる方法に限定されるものではなく、例えばノズル２１ｃから排ガス１２と対向するように流下させてもよい。
【００４２】
本実施例によれば、脱硫装置に導入する前において、水銀吸収塔５０を設置しているので、ボイラ排ガス中の酸化水銀を効率的に除去でき、脱硫装置で生成する石膏の結晶中に水銀がかみこまれて、石膏中に水銀が固定化されるのを防止することができる。
【実施例３】
【００４３】
次に、本発明の実施例３に係る排ガス中の水銀処理システムについて説明する。なお、実施例１及び２と同一構成部材には同一符号を付して重複した説明は省略する。
図３は、本発明の実施例３に係る排ガス中の水銀処理システムの概略図である。
図３に示すように、本実施例に係る排ガス中の水銀処理システム１０Ｃは、実施例１で用いたアンモニアの代わりに、塩化アンモニウムを供給している。
本実施例では、ボイラ１１の下流の煙道１３内に、還元酸化助剤として塩化アンモニウム（ＮＨ4Ｃｌ）を含むＮＨ4Ｃｌ溶液１４Ｂを噴霧する塩化アンモニウム（ＮＨ4Ｃｌ）溶液供給手段１６Ｂと、排ガス１２中のＮＯｘをＮＨ3ガスで還元すると共に、ＨＣｌガス共存下で金属水銀（Ｈｇ0）を酸化する脱硝触媒を有する脱硝装置１７とを有している。
【００４４】
本実施例では、一例としてＮＨ4Ｃｌを用いているが、本実施例はこれに限定されるものではなく、還元酸化助剤は気化した際に酸化助剤と還元助剤とを生成するハロゲン化物であればいずれでも用いることができる。ここで、本実施例においては、還元酸化助剤とは、酸化助剤共存下で金属水銀（Ｈｇ0）を酸化するのに用いられる酸化助剤と、還元助剤によりＮＯｘを還元する還元剤として機能するものをいう。本実施例では、酸化助剤としてＨＣｌガスが用いられ、還元助剤としてＮＨ3ガスが用いられている。
なお、酸化助剤（例えばＨＣｌガス）と還元助剤（例えばＮＨ3ガス）とを別々に導入するようにしてもよい。
【００４５】
ボイラ１１から排出される排ガス１２には、ＮＨ4Ｃｌ溶液供給手段１６Ｂから塩化アンモニウム（ＮＨ4Ｃｌ）供給ライン１５Ｂを介して、ＮＨ4Ｃｌ溶液１４Ｂが供給される。
【００４６】
ＮＨ4Ｃｌ溶液供給手段１６Ｂから煙道１３内に噴霧されたＮＨ4Ｃｌ溶液１４Ｂの液滴は、排ガス１２の高温雰囲気温度により蒸発して気化され、微細なＮＨ4Ｃｌの固体粒子を生成し、下記式（６）のように、ＨＣｌとＮＨ3とに分解する。よって、噴霧手段から噴霧されたＮＨ4Ｃｌ溶液１４Ｂは分解されて、ＨＣｌ、ＮＨ3を生じ、ＮＨ3ガス、ＨＣｌガスを煙道１３内に供給する。
ＮＨ4Ｃｌ  →  ＮＨ3＋ＨＣｌ  ・・・（６）
【００４７】
煙道１３内の排ガス１２の温度は、ボイラ１１の燃焼条件にもよるが、例えば３２０℃以上４２０℃以下が好ましく、３２０℃以上３８０℃以下がより好ましい。この温度帯において脱硝触媒上でＮＯｘの脱硝反応と、Ｈｇの酸化反応とを効率的に生じさせることができるためである。
【００４８】
また、排ガス１２は、ＮＨ4Ｃｌ溶液供給手段１６Ｂから煙道１３内に噴霧されたＮＨ4Ｃｌ溶液１４Ｂの液滴から生じたＨＣｌガス、ＮＨ3ガスを含んだ後、脱硝装置１７に送給される。脱硝装置１７では、ＮＨ4Ｃｌが分解して生じたＮＨ3ガスはＮＯｘの還元脱硝用に用いられ、ＨＣｌガスはＨｇの酸化用に用いられ、ＮＯｘ及びＨｇを排ガス１２から除去するので、アンモニアを用いる場合よりも水銀除去率が向上する。
【００４９】
即ち、脱硝装置１７に充填されている脱硝触媒層に充填されている脱硝触媒上でＮＨ3ガスは、下記式（７）のようにＮＯｘを還元脱硝し、ＨＣｌガスにより、下記式（８）のようにＨｇは酸化される。
４ＮＯ＋４ＮＨ3＋Ｏ2  →  ４Ｎ2＋６Ｈ2Ｏ  ・・・（７）
Ｈｇ＋１／２Ｏ2＋２ＨＣｌ  →  ＨｇＣｌ2＋Ｈ2Ｏ  ・・・（８）
【００５０】
排ガス１２は、脱硝装置１７において排ガス１２中のＮＯｘの還元とＨｇの酸化がされた後、エアヒータ１８で排ガス１２の温度を降下させる。
【００５１】
次に、集塵機１９で除塵された後、排ガス１２は水銀吸収塔５０に導入され、ここで酸化水銀を水銀吸収液５１で吸収除去し、その後湿式脱硫装置２１に送られ、脱硫処理される。
【００５２】
本実施例では、脱硝装置１７で排ガス中の水銀酸化をしており、この酸化された水銀は、水銀吸収塔５０において、確実に水銀吸収液５１で処理して、水銀の除去を確実に行うことができることとなる。
【実施例４】
【００５３】
次に、本発明の実施例４に係る排ガス中の水銀処理システムについて説明する。なお、実施例２及び３と同一構成部材には同一符号を付して重複した説明は省略する。
図４は、本発明の実施例４に係る排ガス中の水銀処理システムの概略図である。
図４に示すように、本実施例に係る排ガス中の水銀処理システム１０Ｄは、捕集タンク５２に捕集された水銀吸収液中の凝集物を凝集処理する凝集装置７１を設けている。
凝集装置７１には、例えば重金属捕集剤、キレート剤等の凝集剤等の凝集処理剤７２が投入され、水銀吸収液５１中の水銀を含む凝集物を凝集処理している。
【００５４】
凝集処理剤７２としては、例えばＦｅ系凝集剤、Ａｌ系凝集剤、ポリマー系凝集剤等を例示することができる。
この凝集処理の際、水銀吸収液５1中の酸化水銀を凝集固化させることにより、液相から固相に移行させるようにしている。
【００５５】
この凝集装置７１での凝集物７３は、蒸発処理手段により、別途蒸発処理させることで、無排水化処理するようにしている。
【実施例５】
【００５６】
次に、本発明の実施例５に係る排ガス中の水銀処理システムについて説明する。なお、実施例２乃至実施例４と同一構成部材には同一符号を付して重複した説明は省略する。
図５は、本発明の実施例５に係る排ガス中の水銀処理システムの概略図である。
図５に示すように、本実施例に係る排ガス中の水銀処理システム１０Ｅは、実施例３の凝集装置７１からの凝集物７３を脱水処理して固液分離する脱水処理装置７４を設けている。
そして、脱水物の汚泥７５は水銀が含まれているので、別途処理される。
また、ろ液である処理水７６は、水銀吸収液５１の一部として再利用するようにしている。
【００５７】
また、再利用以外としては、例えば蒸発処理させる無排水化処理、排水処理装置３５の排水３７と共に処理するようにしても良い。
【符号の説明】
【００５８】
１０Ａ〜１０Ｅ  排ガス中の水銀処理システム
１１  ボイラ
１２  排ガス
１７  脱硝装置
１８  熱交換器（ＡＨ）
５０  水銀吸収塔
５１  水銀吸収液
【図１】
2014057912.tif 000003
【図２】
2014057912.tif 000004
【図３】
2014057912.tif 000005
【図４】
2014057912.tif 000006
【図５】
2014057912.tif 000007
【図６】
2014057912.tif 000008
【図７】
2014057912.tif 000009